(57)【要約】  【課題】  便座とその周辺部との間の段差を解消すること。  【解決手段】イス部と、前記イス部に着脱可能に配設されたバケツと、前記イス部の後部に配設され且つ便座が枢着されたケースとを備え、前記便座に着座した使用者の排泄物が前記バケツ内に収容されるようにしたポータブルトイレにおいて、前記イス部の外枠部と前記便座との間に画成される段差部に、前記便座と略同一の高さを有する補助具を配設した。【選択図】  図１１
2006320702.tif 000002
【特許請求の範囲】
【請求項１】
イス部と、前記イス部に着脱可能に配設されたバケツと、前記イス部の後部に配設され且つ便座が枢着されたケースとを備え、前記便座に着座した使用者の排泄物が前記バケツ内に収容されるようにしたポータブルトイレにおいて、前記イス部の外枠部と前記便座との間に画成される段差部に、前記便座と略同一の高さを有する補助具を配設したことを特徴とする、ポータブルトイレ用バケツ。
【請求項２】
前記補助具は弾性体である、請求項１記載のポータブルトイレ。
【請求項３】
前記弾性体はウレタン樹脂である、請求項２記載のポータブルトイレ。
【請求項４】
前記補助具はゲル剤を充填した袋体である、請求項１記載のポータブルトイレ。
【請求項５】
前記補助具は木で作製された、請求項１記載のポータブルトイレ。
【請求項６】
前記木はゴムの木である、請求項５記載のポータブルトイレ。
【請求項７】
前記補助具は木で作製され且つ塗装がなされた、請求項１記載のポータブルトイレ。
【請求項８】
前記木はゴムの木である、請求項７記載のポータブルトイレ。
【請求項９】
前記塗装はウレタン塗装である、請求項７記載のポータブルトイレ。
【請求項１０】
前記補助具はゴムの木で作製され且つウレタン塗装がなされた、請求項１記載のポータブルトイレ。
【請求項１１】
前記補助具は面状ファスナーにより、前記段差部に着脱自在に配設した、請求項１記載のポータブルトイレ。
【請求項１２】
前記補助具にブラケットを設け、このブラケットの先端部を、前記イス部の外枠部の内面に形成された空隙に挿入した、請求項１記載のポータブルトイレ。
【請求項１３】
前記補助具は白以外の色に着色された、請求項１記載のポータブルトイレ。
【請求項１４】
前記補助具には、常夜灯が設けられた、請求項１記載のポータブルトイレ。
【請求項１５】
前記常夜灯は、前記補助具に夜行性塗料を塗布して形成される、請求項１４記載のポータブルトイレ。
【発明の詳細な説明】
【技術分野】
【０００１】
本発明は、ポータブルトイレに関する。
【背景技術】
【０００２】
近年、高齢者時代の到来とともに在宅の寝たきり老人の介護が大きな社会問題となりつつある。この介護に際しては特に排泄物の処理が大変である。かような事情に鑑み、寝室・病室などの室内に家具の如く置いておくことができるポータブルトイレが種々市販されるようになってきた。このポータブルトイレは、例えば特許文献１に開示されるように、便座の下側にバケツが配置される。そして、要介護者の排泄物が、このバケツ内に落下するようになっている。このバケツは、介護者が適時に容器収容室から取り出し、トイレルーム等にて処理する。
【特許文献１】特開２００２−２８２１６４号公報
【発明の開示】
【発明が解決しようとする課題】
【０００３】
特許文献１に開示されたポータブルトイレを用いれば確かに、要介護者の排泄が容易になるが、問題が残る。すなわち、使用者が単独で（介護者の助けを受けることなく）ポータブルトイレに向かう場合、よろけて倒れ、ポータブルトイレの前方部に手を着くことがあり得る。しかして、ポータブルトイレの前方部においては、便座とその周辺部との間には段差があるので、手を着いた部位が便座の外縁部であると、手に局所的な力が作用し、思わぬ事態が惹起される可能性がないとは言えない。
【０００４】
それ故に、本発明は、かような不具合を解消することを、その技術的課題とする。
【課題を解決するための手段】
【０００５】
上記の課題を解決するために講じた技術的手段は、請求項１に記載のように、
「イス部と、前記イス部に着脱可能に配設されたバケツと、前記イス部の後部に配設され且つ便座が枢着されたケースとを備え、前記便座に着座した使用者の排泄物が前記バケツ内に収容されるようにしたポータブルトイレにおいて、前記イス部の外枠部と前記便座との間に画成される段差部に、前記便座と略同一の高さを有する補助具を配設したことを特徴とする、ポータブルトイレ。」
を構成したことである。
【発明の効果】
【０００６】
本発明のポータブルトイレによれば、便座の周辺の段差が略解消されるので、老人や身体虚弱者がよろけて便座の外縁部に手を着いても、手に局所的な力が作用するようなことはない。また、本発明のポータブルトイレをベッドに隣接させた場合、便座の床面からの高さとベッド上のマットレスの床面からの高さとを略同一にしておけば、両者間の段差が無くなり、双方間の移乗が容易に行える。
【発明を実施するための最良の形態】
【０００７】
以下、本発明の温水洗浄便座装置を具体化した一実施の形態を、図面を参照して詳細に説明する。
【０００８】
図１〜図３において、ポータブルトイレ１０は、イス部２０を備える。イス部２０には、前後方向にスライド可能な支持板２２が設けられる。支持板２２には孔２４が形成されている。樹脂製の外バケツ３０が孔２４の内部に嵌入されており、外バケツ３０の縁部３２が支持板２２と係合している。かようにして、外バケツ３０は、支持板２２に懸架される。
【０００９】
外バケツ３０の内部には、樹脂製の内バケツ４０が収容される。この内バケツ４０の開口部は、不使用時は、蓋５０で閉塞される。
【００１０】
支持板２２の後方部には洗浄部６０が装着される。洗浄部６０は、ケース６２と、ケース６２に枢着された便座６４と、ケース６４内に設置された洗浄機構（図示略）とから構成される。洗浄機構は、後で説明するように、内バケツ４０を開放状態にし、便座６２に着座した使用者が排泄した後、所定の操作により、図示されないノズルから温水が使用者の肛門に噴射されて、洗浄がなされるようになっている。
【００１１】
ポータブルトイレ１０は、使用されない時は、図１に示されるように、内バケツ４０の開口部が蓋５０で閉塞され、このような状態で、便座６２が使用位置におかれる。ポータブルトイレ１０を使用する場合、つまり要介護者が排泄しようとする場合、介護者は、まず、まず、便座６２を起立させて（図３）、支持板２２を少し前方に引き出し（図４）、蓋５０を取って内バケツ４０を開放状態とし（図５）て、支持板２２を元に戻し、便座６２を使用位置にする。そして、要介護者が便座６２に着座して排泄し、温水洗浄がなされる。排泄物（大便・小便）は、内バケツ４０内に収容される。
【００１２】
かような一連の排泄行為が終了すると、内バケツ４０内に収容される排泄物をトイレ室の便器（若しくは汚物流し）に捨てる必要があるので、支持板２２が少し前方に引き出され、内バケツ４０内が取り出される（図６）。以下の詳しく述べるように、内バケツ４０は、排泄物が収容された容器本体４２の、把手４４に対する相対回動が阻止される構成となっているので、少し前方にする。
【００１３】
尚、上記において支持板２２を少し前方に引き出すのは、上方に取り出そうとする蓋５０・内バケツ４０とノズルとの干渉を回避するためである。
【００１４】
図７〜図９に依拠して、内バケツ４０について、詳細に説明する。
【００１５】
内バケツ４０は、容器本体４２と、把手４４とを備える。把手４４は逆Ｕ字型をなしており、その遊端部４４ａ・４４ａは、容器本体４２の長手方向の略外面中央部に一体のピン４６・４６と回転自在に連結されている。つまり、逆Ｕ字型をなす把手４４の双方の遊端部４４ａ・４４ａを容器本体４２のピン４６・４６に枢着することにより、把手４４が、双方の枢着点たるピン４６・４６を結ぶ枢軸Ｘを中心として、容器本体４２に対して回動可能とされる。
【００１６】
容器本体４２の、枢軸Ｘの右側の端部には、非使用位置にある把手を休止位置に保持する休止体４９が一体形成されている。また、容器本体４２の、枢軸Ｘの左側の上面部には、外方向に突出する上縁部４８・４８が一体形成されており、その端部４８ａ・４８ａが、起立された状態の把手４４の遊端部４４ａ・４４ａと、所定の間隔をおいて対峙している。
【００１７】
図７及び図８から明らかなように、容器本体４２は、枢軸Ｘに関して左右対称ではなく、右側の容積が大きく設定されている。しかして、排泄物は、容器本体４２の右側部分に主として収容されるので、枢軸Ｘの中心と排泄物を収容した容器本体４２の重心とは同一鉛直線上にはなく、容器本体４２が外バケツ３０内で着座した状態で、起立した把手４４を持ち上げたとき、容器本体４２は枢軸Ｘの周りを時計方向に回動しようとする。しかし、把手４４の遊端部４４ａ・４４ａが、容器本体４２の上縁部４８・４８の端部４８ａ・４８ａと係合し、更なる回動を阻止する。これにより、容器本体４２の大きな回動に伴う排泄物のこぼれが防止される。
【００１８】
再度、図１を参照する。図１に示す状態では、便座６４とその周辺部（具体的には、便座６４とイス部２０の外枠部（周縁部）の前方部及び側部との間）には段差部６８が不可避的に画成される。この段差部６８は、図１０に示されるような、便座６４と略同一の高さを有する補助具９０・９０が配設されると、図１１に示されるように、段差が解消される。結果、老人や身体虚弱者がよろけて便座の外縁部の補助具９０に手を着いても、手に局所的な力が作用するようなことはない。
【００１９】
しかして、補助具９０は、ウレタン樹脂その他の弾性体で形成される。この場合、使用者の心を和ませたり、弱視者のことを考慮したりする観点から、補助具９０の外表面を白以外の色で着色しても良い。ウレタン樹脂に代えて、ゲル剤を充填した袋体や木（特に柔らかなゴムの木）から補助具９０を作製しても良い。木、特に柔らかなゴムの木から補助具９０を作製する場合、老人や身体虚弱者がよろけて便座の外縁部の補助具９０に手を着いても、手に局所的な力が作用するようなことはない。木、特に柔らかなゴムの木から補助具９０を作製する場合は、意匠性向上のため、ウレタント塗装するのが望ましい。固より、他の塗装でも良い。
【００２０】
また、補助具９０の安定のために、面状ファスナー９２を用いて、図１２に示すように、段差部６８の底面（具体的には、外バケツ３０の縁部３２）に着脱自在に貼付したり、図１３に示すように、補助具９０にブラケット９６を設け、このブラケット９６の先端部を、イス部２０の外枠部の内面に形成された空隙２８（図１も参照）に挿脱自在に嵌着したりしても良い。
【００２１】
尚、図１４及び図１５に示されるように、補助具９０が装着されたポータブルトイレ１０をベッド１００に隣接させ、便座６４の床面Fからの高さとベッド１００上のマットレス１０２の床面Fからの高さとを略同一にしておけば、補助具９０により、便座６４とマットレス１０２間の段差が無くなり、双方間の移乗が容易に行える。
【００２２】
また、図１４及び図１５に示されるように、補助具９０が装着されたポータブルトイレ１０をベッド１００に隣接させた場合、補助具９０に常夜灯９８を設けるのが、使用者にとって至便である。なぜなら、使用者が夜間、ベッド１００から降りてポータブルトイレ１０を使用する場合、使用者は、体を捩った態様でベッド１００のヘッドボードに設置のスタンドを点灯させることなく、常夜灯９８によりポータブルトイレ１０の正確な位置を認知できるからである。常夜灯９８としては、補助具９０の表面の所定区画に夜行性塗料を塗布するのが最良である。もちろん、補助具９０の表面全体に夜行性塗料を塗布しても差し支えない。
【図面の簡単な説明】
【００２３】
【図１】本発明の一実施の形態に係る補助具が装着されるポータブルトイレの斜視図である。
【図２】図１のポータブルトイレの分解斜視図である。
【図３】図１のポータブルトイレの使用開始前、便座を起立させたときの、斜視図である。
【図４】図１のポータブルトイレの使用開始前、図３の状態を齎した後、支持板を引き出したときの、斜視図である。
【図５】図１のポータブルトイレの使用開始前、図４の状態を齎した後、蓋を引き上げたときの、斜視図である。
【図６】図１のポータブルトイレの使用開始後、内バケツを引き上げようとするときの、斜視図である。
【図７】バケツ単体の側面図である。
【図８】図７のバケツ単体の平面図である。
【図９】図７のバケツ単体の正面図である。
【図１０】一対の補助具の斜視図である。
【図１１】図１０の補助具が装着されたポータブルトイレの部分的斜視図である。
【図１２】補助具に面状ファスナーを装着したときの説明図である。
【図１３】補助具にブラッケトを装着したときの説明図である。
【図１４】ポータブルトイレをベッドに隣接させたときの概略平面図である。
【図１５】ポータブルトイレをベッドに隣接させたときの概略正面図である。
【符号の説明】
【００２４】
１０：ポータブルトイレ
２０：イス部
２８：空隙
３０：バケツ（外バケツ）
４０：バケツ（内バケツ）
６４：便座
６８：段差部  
９０：補助具
９８：常夜灯
【図１】
2006320702.tif 000003
【図２】
2006320702.tif 000004
【図３】
2006320702.tif 000005
【図４】
2006320702.tif 000006
【図５】
2006320702.tif 000007
【図６】
2006320702.tif 000008
【図７】
2006320702.tif 000009
【図８】
2006320702.tif 000010
【図９】
2006320702.tif 000011
【図１０】
2006320702.tif 000012
【図１１】
2006320702.tif 000013
【図１２】
2006320702.tif 000014
【図１３】
2006320702.tif 000015
【図１４】
2006320702.tif 000016
【図１５】
2006320702.tif 000017